(57)【要約】【課題】パラペットの上端面から下方に伸びる固定孔を形成せずに、笠木部材を取付けることが可能な新規な技術を提案する。【解決手段】笠木部材３が固定される被固定体（躯体２１）の少なくとも一つの側面２１ａ・２１ｂに固定されるための少なくとも一つの固定用脚部３４・３５を有し、前記固定用脚部３４・３５には、前記固定用脚部３４・３５を前記被固定体（躯体２１）に止めつけるための固定用部材（固定ネジ３８・３９）を挿通させるための貫通孔３４ｂ・３５ｂが横方向に設けられる、笠木部材３とするものである。【選択図】図３
2012149423.tif 000002
【特許請求の範囲】
【請求項１】
笠木部材が固定される被固定体の少なくとも一つの側面に固定されるための少なくとも一つの固定用脚部を有し、
前記固定用脚部には、
前記固定用脚部を前記被固定体に止めつけるための固定用部材を挿通させるための貫通孔が横方向に設けられる、笠木部材。
【請求項２】
前記横方向とは、前記笠木部材の長手方向と直交する断面視における笠木部材の中央部を内側とした場合に、
内側から外側へ向かって低くなる下り勾配を有する構成とする、
ことを特徴とする、請求項１に記載の笠木部材。
【請求項３】
前記固定用脚部の内側には、前記被固定体に対し上側から係止するための係止部が設けられる、
ことを特徴とする、請求項１又は請求項２に記載の笠木部材。
【請求項４】
前記笠木部材は、
板状の天面部と、
前記笠木部材の長手方向と直交する断面視において、前記天面部の両端部において下方向に延設される垂壁部と、を有し、
前記笠木部材の長手方向と直交する断面視において、前記垂壁部よりも前記天面部の中央部に近い側に前記固定用脚部が設けられることとし、
前記垂壁部と、前記固定用脚部の間には、外装材が挿入され得る空間が形成される、
ことを特徴とする、請求項１乃至請求項３のいずれか一項に記載の笠木部材。
【請求項５】
パラペットにおける笠木部材の施工方法であって、
前記パラペットにおける前記笠木部材の被固定体を施工し、
次に、前記笠木部材を前記被固定体に取り付け、
次に、前記パラペットの外装材の施工を行う、
パラペットにおける笠木部材の施工方法。
【請求項６】
前記笠木部材は、
前記被固定体の少なくとも一つの側面に固定されるための少なくとも一つの固定用脚部を有し、
前記固定用脚部には、
前記固定用脚部を前記被固定体に止めつけるための固定用部材を挿通させるための貫通孔が横方向に設けられるものであり、
前記固定用部材は、前記貫通孔を介して前記被固定体に対し、横方向に止めつけられる、
ことを特徴とする、請求項５に記載のパラペットにおける笠木部材の施工方法。
【請求項７】
前記横方向とは、前記笠木部材の長手方向と直交する断面視における笠木部材の中央部を内側とした場合に、
内側から外側へ向かって低くなる下り勾配を有する構成とする、
ことを特徴とする、請求項６に記載のパラペットにおける笠木部材の施工方法。
【請求項８】
前記固定用脚部の内側には、前記被固定体に対し上側から係止するための係止部が設けられる、
ことを特徴とする、請求項６又は請求項７に記載のパラペットにおける笠木部材の施工方法。
【請求項９】
前記笠木部材は、
板状の天面部と、
前記笠木部材の長手方向と直交する断面視において、前記天面部の両端部において下方向に延設される垂壁部と、を有し、
前記笠木部材の長手方向と直交する断面視において、前記垂壁部よりも前記天面部の中央部に近い側に前記固定用脚部が設けられることとし、
前記垂壁部と、前記固定用脚部の間には、外装材が挿入され得る空間が形成される、
ことを特徴とする、請求項５乃至請求項８のいずれか一項に記載のパラペットにおける笠木部材の施工方法。
【発明の詳細な説明】
【技術分野】
【０００１】
本発明は、バルコニーや建物の屋上などに形成されるパラペットの上縁などに設けられる笠木部材に関するものである。
【背景技術】
【０００２】
従来、バルコニーや建物の屋上などのパラペット（立ち上がり壁部分）の上縁や、階段の壁部分の上縁などにおいて、下地材に長尺の笠木部材を設ける構成や、この笠木部材の上方に束部材を立ち上げるとともに、束部材の上端部などに手摺部材を設ける構成が知られている（例えば、特許文献１参照）。
【０００３】
特許文献１では、パラペットの上端面に固定される笠木取付部材（笠木受け具）に対し、笠木部材が取付けられる構成について開示がされている。また、笠木取付部材には複数の取付孔（取付部）が設けられ、この取付孔の上方からボルトなどからなる固定用部材（取付具）を差し込むとともに、パラペットの上端面に差し込むことにより、笠木取付部材をパラペットの上端面に固定する構成が開示されている。
【先行技術文献】
【特許文献】
【０００４】
【特許文献１】特許第４５４３９４８号明細書
【発明の概要】
【発明が解決しようとする課題】
【０００５】
しかしながら、特許文献１のように、パラペットに対する笠木取付部材の固定に関し、ボルトなどの固定用部材を上方から差し込む、或いは、ねじ込むような構成である場合には、パラペットの上端面から下方に向けて、上下方向の下孔、或いは、螺孔といった固定孔が形成されることになる。
【０００６】
そして、このような上下方向の固定孔が形成されてしまうと、重力が作用して固定孔内に水が浸入しやすい状況となってしまうとともに、仮にこの固定孔に水が浸入してしまった際には、固定孔の内部に水が停留してしまうことになる。そして、これにより、固定孔の内部から劣化が生じる可能性が高まってしまうことになる。
【０００７】
そこで、本発明は以上の問題に鑑み、パラペットの上端面から下方に伸びる固定孔を形成せずに、笠木部材を取付けることが可能な新規な技術を提案するものである。
【０００８】
また、特許文献１に開示されるように、従来はパラペットに固定される笠木取付部材に対し、笠木部材を取付ける構成とするものであり、笠木取付部材と笠木部材とは別部材で構成されるものであった。
【０００９】
しかし、笠木取付部材と笠木部材をそれぞれ別で製作する必要があり、部品点数が多くコストがかかり、また、部品管理や施工手順の管理など、取り扱いが複雑なものであった。
【００１０】
そこで、本発明の他の課題は、笠木取付部材と笠木部材を別部材で構成するのではなく、一つの部材で構成することができる、新規な技術を提案するものである。
【００１１】
また、パラペットの壁面に対し、パネルなどの外装材を取り付ける外装仕上げがなされることがある。このような場合には、外装仕上げを行った後に、笠木取付部材の取付、及び、笠木部材の取付を行うといった施工手順が採用されるものであった。これは、パラペットの外装仕上げと、笠木部材の取付が、別の施工者によって行われるといった理由や、特に、笠木部材に束部材や手摺が設けられる場合であると、これらの束部材や手摺が資材の搬入などの邪魔になるため、笠木部材、束部材、手摺などを最後に取付けるといった理由があるためである。
【００１２】
しかし、このような施工手順では、パラペットの外装仕上げを完了した後に笠木部材の取り付けが行われるため、パラペットの上端面に対して笠木取付部材を止めつける必要があり、必然的に、上述した上下方向の固定孔を形成する必要が生じるものであった。
【００１３】
加えて、笠木部材の施工をパラペットの外装仕上げの完了後に行うこととなると、この外装仕上げを行うために組まれた足場が撤去された状態で、笠木部材の施工や、手摺の設置をしなければならない状況となり、不便が生じることが懸念される。特に、外装の施工者と、笠木部材などの施工者が異なる場合には、各施工者の作業工程が切り分けられてしまうため、両施工者間において足場などの設備の共有ができないといった無駄が生じることが懸念される。このような観点から、笠木部材の施工方法についても、改善が望まれているものであった。
【００１４】
そこで、本発明の他の課題は、パラペットに対する笠木部材の施工に関し、新規な施工方法を提案するものである。
【課題を解決するための手段】
【００１５】
本発明の解決しようとする課題は以上の如くであり、次にこの課題を解決するための手段を説明する。
【００１６】
即ち、請求項１に記載のごとく、
笠木部材が固定される被固定体の少なくとも一つの側面に固定されるための少なくとも一つの固定用脚部を有し、
前記固定用脚部には、
前記固定用脚部を前記被固定体に止めつけるための固定用部材を挿通させるための貫通孔が横方向に設けられる、笠木部材とするものである。
【００１７】
また、請求項２に記載のごとく、
前記横方向とは、前記笠木部材の長手方向と直交する断面視における笠木部材の中央部を内側とした場合に、
内側から外側へ向かって低くなる下り勾配を有する構成とする、こととするものである。
【００１８】
また、請求項３に記載のごとく、
前記固定用脚部の内側には、前記被固定体に対し上側から係止するための係止部が設けられる、こととするものである。
【００１９】
また、請求項４に記載のごとく、
前記笠木部材は、
板状の天面部と、
前記笠木部材の長手方向と直交する断面視において、前記天面部の両端部において下方向に延設される垂壁部と、を有し、
前記笠木部材の長手方向と直交する断面視において、前記垂壁部よりも前記天面部の中央部に近い側に前記固定用脚部が設けられることとし、
前記垂壁部と、前記固定用脚部の間には、外装材が挿入され得る空間が形成される、こととするものである。
【００２０】
また、請求項５に記載のごとく、
パラペットにおける笠木部材の施工方法であって、
前記パラペットにおける前記笠木部材の被固定体を施工し、
次に、前記笠木部材を前記被固定体に取り付け、
次に、前記パラペットの外装材の施工を行う、こととするものである。
【００２１】
また、請求項６に記載のごとく、
前記笠木部材は、
前記被固定体の少なくとも一つの側面に固定されるための少なくとも一つの固定用脚部を有し、
前記固定用脚部には、
前記固定用脚部を前記被固定体に止めつけるための固定用部材を挿通させるための貫通孔が横方向に設けられるものであり、
前記固定用部材は、前記貫通孔を介して前記被固定体に対し、横方向に止めつけられる、
こととするものである。
【００２２】
また、請求項７に記載のごとく、
前記横方向とは、前記笠木部材の長手方向と直交する断面視における笠木部材の中央部を内側とした場合に、
内側から外側へ向かって低くなる下り勾配を有する構成とする、こととするものである。
【００２３】
また、請求項８に記載のごとく、
前記固定用脚部の内側には、前記被固定体に対し上側から係止するための係止部が設けられる、こととするものである。
【００２４】
また、請求項９に記載のごとく、
前記笠木部材は、
板状の天面部と、
前記笠木部材の長手方向と直交する断面視において、前記天面部の両端部において下方向に延設される垂壁部と、を有し、
前記笠木部材の長手方向と直交する断面視において、前記垂壁部よりも前記天面部の中央部に近い側に前記固定用脚部が設けられることとし、
前記垂壁部と、前記固定用脚部の間には、外装材が挿入され得る空間が形成される、こととするものである。
【発明の効果】
【００２５】
本発明の効果として、以下に示すような効果を奏する。
【００２６】
即ち、請求項１に記載の発明においては、
被固定体側に形成される固定孔は、上下方向でなく、横方向となるため、固定孔内への水の浸入が防がれ、この水の浸入に起因する被固定体の劣化などの問題の発生を防止することができる。また、従来使用されていた笠木取付部材が不要な構成とすることができるため、従来の笠木取付部材と笠木部材が別部材で構成されるものと比較して、部品点数が削減され、また、施工を容易なものとすることができる。また、固定用部材を横方向に挿通させて被固定体に止めつけることが可能となるため、笠木部材に上向きの荷重が作用した場合でも、固定用部材が抜け難いこととすることができ、笠木部材が固定された状態をより強固に維持することが可能となる。
【００２７】
また、請求項２に記載の発明においては、
被固定体側に形成される固定孔についても、内側から外側へ向かって低くなる下り勾配を有することとなるため、固定孔内への水の浸入をより確実に防止することが可能となるとともに、仮に、多量の水がかけられるなどして固定孔に水が浸入してしまった場合であっても、下り勾配によってその水を排水することが可能となる。
【００２８】
また、請求項３に記載の発明においては、
係止部により、笠木部材の被固定体に対する上下方向の位置決めをすることができる。また、係止部が被固定体に乗り掛かることによって、笠木部材を被固定体に対して載置した状態（仮置きした状態）とすることができ、作業者は笠木部材から手を離すことができることとなって、施工性が良好なものとなる。
【００２９】
また、請求項４に記載の発明においては、
施工後においては、外装材の上端部を天面部によって覆い隠すことができるとともに、垂壁部から流れ落ちる水を外装材の外側に確実に案内させることが可能となる。
【００３０】
また、請求項５に記載の発明においては、
例えば、パラペットなどの外装の施工者に、笠木部材の施工を実施させることや、或いは、笠木部材の施工業者が外装の施工者が設置した足場などを利用して笠木部材を施工する、といったことも可能となる。このように、施工者による作業計画の自由度を高めることや、足場などの設備の共有といったことが可能となり、施工性に優れた施工方法を実現することが可能となる。仮に、パラペットなどの外装の施工者に、笠木部材の施工を実施させることとすれば、工期の短縮が図られるとともに、人員コストを削減することが可能となる。
【００３１】
また、請求項６に記載の発明においては、
被固定体側に形成される固定孔は、上下方向でなく、横方向となるため、固定孔内への水の浸入が防がれ、この水の浸入に起因する被固定体の劣化などの問題の発生を防止することができる。また、従来使用されていた笠木取付部材が不要な構成とすることができるため、従来の笠木取付部材と笠木部材が別部材で構成されるものと比較して、部品点数が削減され、また、施工を容易なものとすることができる。また、固定用部材を横方向に挿通させて被固定体に止めつけることが可能となるため、笠木部材に上向きの荷重が作用した場合でも、固定用部材が抜け難いこととすることができ、笠木部材が固定された状態をより強固に維持することが可能となる。
【００３２】
また、請求項７に記載の発明においては、
被固定体側に形成される固定孔についても、内側から外側へ向かって低くなる下り勾配を有することとなるため、固定孔内への水の浸入をより確実に防止することが可能となるとともに、仮に、多量の水がかけられるなどして固定孔に水が浸入してしまった場合であっても、下り勾配によってその水を排水することが可能となる。
【００３３】
また、請求項８に記載の発明においては、
係止部により、笠木部材の被固定体に対する上下方向の位置決めをすることができる。また、係止部が被固定体に乗り掛かることによって、笠木部材を被固定体に対して載置した状態（仮置きした状態）とすることができ、作業者は笠木部材から手を離すことができることとなって、施工性が良好なものとなる。
【００３４】
また、請求項９に記載の発明においては、
施工後においては、外装材の上端部を天面部によって覆い隠すことができるとともに、垂壁部から流れ落ちる水を外装材の外側に確実に案内させることが可能となる。
【図面の簡単な説明】
【００３５】
【図１】（ａ）は本発明が適用し得るバルコニーの例について示す図。（ｂ）は本発明が適用し得るバルコニーの他の例について示す図。
【図２】本発明の一実施形態にかかる笠木部材の構造について示す断面図。
【図３】本発明の一実施形態にかかる笠木部材を被固定体に固定した状態について示す断面図。
【図４】本発明の一実施形態にかかる笠木部材の施工手順について示す図。
【発明を実施するための形態】
【００３６】
次に、発明の実施の形態について図面を用いて説明する。
【００３７】
図１（ａ）に示す例では、バルコニー１の壁面を構成するパラペット２の上縁部に笠木部材３が設けられており、この笠木部材３から立ち上げられる束部材４・４の上端部に手摺部材５が横架される。笠木部材３は所定の長さを有する長尺の部材であって、継目部６・６において連設されることで、パラペット２の上縁部を連続的に覆うこととしている。なお、笠木部材３は、コーピングとも称されるものである。
【００３８】
また、図１（ｂ）に示す例では、束部材や手摺部材が設けられずに、パラペット２の上縁部に笠木部材３のみが設けられる形態としている。このように、笠木部材３のみが設けられる形態についても、本発明を実施することは可能である。さらに、このほか、建物屋上の壁（パラペット）の上縁部や、屋外階段の壁（パラペット）の上縁部など、さまざまな箇所に本発明は適用可能とするものである。
【００３９】
また、図２は、本発明の一実施形態にかかる笠木部材３の構造について示す断面図、図３は、この笠木部材を被固定体としての躯体２１に固定した状態について示す断面図である。なお、以下の図２及び図３を用いた説明において、便宜のために、「内側」の用語を、図２に示す笠木部材３の左右方向の中心に近い側と定義し、「外側」の用語を、笠木部材３の左右方向の中心から遠い側と定義する。
【００４０】
図２及び図３に示すごとく、笠木部材３は、長尺の部材からなるものであり、長手方向と直交する断面視において、中心部から横方向に延びる板状の天面部３１と、天面部３１の両端部において下方向に延設される垂壁部３２・３３を有する構成としている。なお、この笠木部材３は、アルミなどの金属成形品や、樹脂成形品などで構成することができる。また、この笠木部材３について、束部材が立ち上げられるとともに、束部材に手摺が設置される実施形態や、この笠木部材３のみが設置される実施形態が考えられる。
【００４１】
また、図２及び図３に示すごとく、天面部３１は、その中心部から端部に向けて低くなるようななだらかなカーブが付けられており、これにより、天面部３１に降りかかった雨水などは、天面部３１から垂壁部３２・３３へと流れ、垂壁部３２・３３の外側壁面を伝って落下するようになっている。なお、天面部３１の形状については、図に示す例に限定されるものではなく、例えば、一方の垂壁部３２側から、他方の垂壁部３３側に向って低くなる斜めの傾斜を有する構成なども考えられる。
【００４２】
また、図２及び図３に示すごとく、天面部３１において、垂壁部３２・３３よりも内側となる位置には、固定用脚部３４・３５がそれぞれ垂設されている。この固定用脚部３４・３５の間には間隔Ｗ（図２）が確保され、笠木部材３が固定される躯体２１を、固定用脚部３４・３５の間に入り込ませることができるようになっている。なお、躯体２１は、笠木部材３が固定される対象となる被固定体であり、木材や金属などの長尺部材が想定される。また、被固定体としては、コンクリート壁などの壁（パラペットの下地となる壁）を構成するものが想定される。
【００４３】
また、図３に示すごとく、各垂壁部３２・３３と各固定用脚部３４・３５の間には、それぞれ、パネル状の外装材２５・２６が挿入され得る空間２７・２８が形成されている。これにより、施工後においては、外装材２５・２６の上端部を天面部３１によって覆い隠すことができるとともに、垂壁部３２・３３から流れ落ちる水を外装材２５・２６の外側に確実に案内させることができる。
【００４４】
また、図２及び図３に示すごとく、固定用脚部３４・３５において、その上下方向中途部の内側には、躯体２１に対し上側から係止するための係止部３６・３７が設けられている。この係止部３６・３７により、笠木部材３の躯体２１に対する上下方向の位置決めがなされるようになっている。また、本実施形態では、係止部３６・３７が躯体２１に乗り掛かる構成としているため、この係止部３６・３７が躯体２１によって下側から支えられるようになっている。なお、係止部３６については、固定用脚部３４から内側に向けて突設される水平方向の突条部で構成され、係止部３７については、天面部３１と固定用脚部３５の間を連続させるように設けられる壁部の底面で構成されることとしているが、特にこの構成に限定されるものではない。
【００４５】
また、図２に示すごとく、固定用脚部３４・３５の下端部３４ａ・３５ａには、それぞれ、貫通孔３４ｂ・３５ｂが形設されている。また、貫通孔３４ｂ・３５ｂは、横方向、或いは、内側が高くなるような斜め方向に形設されている。なお、本実施形態では、固定用脚部３４・３５の下端部３４ａ・３５ａにおいて、下方に向かうにつれて外側から内側に近づくような傾斜が付けられており、これにより、貫通孔３４ｂ・３５ｂについて、内側が高くなるような斜め方向の傾斜が付けられるようになっている。
【００４６】
また、図２に示すごとく、固定用脚部３４・３５は、天面部３１や垂壁部３２・３３と同様に、図の紙面と直交する方向に連続的に設けられることとするほか、断続的に設けられることとしてもよく、特に限定されるものではない。また、固定用脚部３４・３５は天面部３１と別体で構成され、施工時などにおいて組みつけられるものであってもよい。
【００４７】
また、図３に示すごとく、貫通孔３４ｂ・３５ｂには、固定用部材としての固定ネジ３８・３９が挿入されるとともに、固定ネジ３８・３９が躯体２１へと螺挿される。これにより、固定用脚部３４・３５が躯体２１の側面２１ａ・２１ｂに対して固定され（側面に大して圧着して固定される）、笠木部材３が躯体２１へと固定される。なお、固定ネジ３８・３９のほか、釘が用いられることも想定される。また、躯体２１がコンクリート壁の場合には、固定用部材としてボルトが使用されることが想定され、この場合には、ボルトを挿入するための固定孔が予め形成されることになる。
【００４８】
そして、図３に示すごとく、躯体２１に螺挿された固定ネジ３８・３９によって躯体２１側に形成される固定孔３８ａ・３９ａは、横方向に形成されることから、固定孔３８ａ・３９ａ内への水の浸入が防がれることになる。これにより、固定孔３８ａ・３９ａ内への水の浸入に起因する躯体２１の劣化などの問題の発生を防止することができる。例えば、本実施形態のように、躯体２１が木材などの場合には、この木材への水の染込み、及び、これに起因する劣化を防ぐことが可能であり、また、躯体２１がコンクリートや金属の場合であっても、同様に、水に起因する劣化を防止することが可能となる。
【００４９】
また、図３に示すごとく、固定ネジ３８・３９が横方向に螺挿されることによって、笠木部材３に上向きの荷重が作用した場合でも、固定ネジ３８・３９が抜け難いこととすることができる。つまり、従来のように、上下方向に固定ネジを螺挿する場合には、笠木部材３に上向きの荷重が作用した際に固定ネジが抜け易い状況となってしまうが、本実施形態によれば、この固定ネジの抜けが防止されることになり、笠木部材３が固定された状態をより強固に維持することが可能となる。
【００５０】
さらに、図３に示すごとく、固定孔３８ａ・３９ａについて、被固定体である躯体２１の内側から外側へ向かって低くなる下り勾配を有する構成とすることによれば、固定孔３８ａ・３９ａについても、内側から外側へ向かって低くなる下り勾配を有することとなるため、固定孔３８ａ・３９ａ内への水の浸入をより確実に防止することが可能となるとともに、仮に、多量の水がかけられるなどして固定孔３８ａ・３９ａに水が浸入してしまった場合であっても、下り勾配によってその水を排水することが可能となる。このことから、固定孔３８ａ・３９ａは、被固定体である躯体２１の内側から外側へ向かって低くなる下り勾配を有する構成とすることが好ましい。なお、下り勾配の度合いについては、特に限定されるものではないが、０度より大きく、４５度以下の範囲とすることが考えられる。
【００５１】
なお、図２に示すごとく、固定用脚部３４・３５の間の間隔Ｗが、躯体２１の幅Ｗ１（厚み）に対して広すぎる場合には、躯体２１の側面と固定用脚部３４・３５の間にスペーサーを挟装することで対応することができる。このことから判るように、固定用脚部３４・３５の間隔Ｗを広く確保するとともに、スペーサーを併用する構成とすることによれば、施工現場ごとに異なる様々な躯体２１の幅Ｗ１（厚み）に対して対応することが可能となり、広い汎用性を確保することができる。
【００５２】
次に、図４を用いて施工手順について説明する。
まず、手順Ａのように、パラペット２の下地壁２９、及び、躯体２１の施工が完了した状態において、躯体２１の上方から笠木部材３を覆い被せる。この際、係止部３６・３７が躯体２１に乗り掛かることによって、笠木部材３を躯体２１に対して載置した状態（仮置きした状態）とすることができ、作業者は笠木部材３から手を離すことができることとなって、施工性が良好なものとなる。なお、笠木部材３が固定される対象となる被固定体については、パラペットを構成するコンクリート壁などの下地壁２９と別体に設けられる躯体２１である場合のほか、下地壁２９そのものの場合も想定される。
【００５３】
次に、手順Ｂのように、固定ネジ３８・３９を用い、固定用脚部３４・３５を躯体２１に対して固定する。これにより、躯体２１を固定用脚部３４・３５によって両側から挟み込んだ状態とすることができ、躯体２１に対する笠木部材３の固定を完了することができる。そして、このことから判るように、本実施形態によれば、従来用いられていた笠木取付部材を使用せずに、笠木部材の固定用脚部３４・３５を直接的に躯体２１に固定することができるため、従来の笠木取付部材と笠木部材が別部材で構成されるものと比較して、部品点数が削減され、また、施工を容易なものとすることができる。
【００５４】
次に、手順Ｃのように、パラペット２の外装仕上げが行われる。即ち、躯体２１の近傍に下地材２３・２４が設置されるとともに、この下地材２３・２４に対してパネル状の外装材２５・２６が止め付けられる。これにより、図３に示されるように、笠木部材３の設置と、パラペット２の設置が完了した状態となる。
【００５５】
そして、以上の図４に示す手順Ａ、Ｂ、Ｃから判るように、本実施形態の施工手順では、パラペット２の外装仕上げの前段階において、笠木部材３の施工を完了できることとなっており、これにより、例えば、パラペット２などの外装の施工者に、笠木部材３の施工を実施させることや、或いは、笠木部材３の施工業者が外装の施工者が設置した足場などを利用して笠木部材３を施工する、といったことも可能となる。このように、施工者による作業計画の自由度を高めることや、足場などの設備の共有といったことが可能となり、施工性に優れた施工方法を実現することが可能となる。
【００５６】
以上のようにして本発明を実施することが可能となる。
即ち、図２及び図３に示すごとく、
笠木部材３が固定される被固定体（躯体２１）の側面２１ａ・２１ｂに固定されるための固定用脚部３４・３５を有し、
前記固定用脚部３４・３５には、
前記固定用脚部３４・３５を前記被固定体に止めつけるための固定用部材（固定ネジ３８・３９）を挿通させるための貫通孔３４ｂ・３５ｂが横方向に設けられる、笠木部材３、
とするものである。
【００５７】
この構成によれば、被固定体側に形成される固定孔３８ａ・３９ａは、上下方向でなく、横方向となるため、固定孔３８ａ・３９ａ内への水の浸入が防がれ、この水の浸入に起因する被固定体の劣化などの問題の発生を防止することができる。また、従来使用されていた笠木取付部材が不要な構成とすることができるため、従来の笠木取付部材と笠木部材が別部材で構成されるものと比較して、部品点数が削減され、また、施工を容易なものとすることができる。また、固定用部材を横方向に挿通させて被固定体に止めつけることが可能となるため、笠木部材３に上向きの荷重が作用した場合でも、固定用部材が抜け難いこととすることができ、笠木部材３が固定された状態をより強固に維持することが可能となる。
【００５８】
なお、上記の実施形態では、被固定体（躯体２１）の両側面２１ａ・２１ｂに対して固定させるために、二つの固定用脚部３４・３５を設ける実施形態としたが、被固定体の片側側面にのみ固定用脚部を固定させる形態も考えられる。この構成の場合、一方の固定用部材については、躯体２１に固定するための他の手段を用いればよく、例えば、躯体２１と下地壁２９（図４）の間に固定用部材の端部を差し込む形態などが考えられる。
即ち、笠木部材３が固定される被固定体（躯体２１）の少なくとも一つの側面に固定されるための少なくとも一つの固定用脚部を有し、
前記固定用脚部には、
前記固定用脚部を前記被固定体に止めつけるための固定用部材（固定ネジ）を挿通させるための貫通孔が横方向に設けられる、笠木部材３、
とする、実施形態も考えられる。
【００５９】
また、図２及び図３に示すごとく、前記横方向とは、笠木部材３の長手方向と直交する断面視における笠木部材３の中央部を内側とした場合に、
内側から外側へ向かって低くなる下り勾配を有する構成とする、こととする。
【００６０】
この構成によれば、被固定体側に形成される固定孔３８ａ・３９ａについても、内側から外側へ向かって低くなる下り勾配を有することとなるため、固定孔３８ａ・３９ａ内への水の浸入をより確実に防止することが可能となるとともに、仮に、多量の水がかけられるなどして固定孔３８ａ・３９ａに水が浸入してしまった場合であっても、下り勾配によってその水を排水することが可能となる。
【００６１】
また、図２及び図３に示すごとく、前記固定用脚部３４・３５の内側には、前記被固定体（躯体２１）に対し上側から係止するための係止部３６・３７が設けられる、こととするものである。
【００６２】
この構成によれば、係止部３６・３７により、笠木部材の被固定体（躯体２１）に対する上下方向の位置決めをすることができる。また、係止部３６・３７が被固定体（躯体２１）に乗り掛かることによって、笠木部材３を被固定体（躯体２１）に対して載置した状態（仮置きした状態）とすることができ、作業者は笠木部材３から手を離すことができることとなって、施工性が良好なものとなる。
【００６３】
また、図２及び図３に示すごとく、前記笠木部材３は、
板状の天面部３１と、笠木部材３の長手方向と直交する断面視において、天面部３１の両端部において下方向に延設される垂壁部３２・３３と、を有し、
笠木部材３の長手方向と直交する断面視において、前記垂壁部３２・３３よりも天面部３１の中央部に近い側に前記固定用脚部３４・３５が設けられることとし、
前記垂壁部３２・３３と、前記固定用脚部３４・３５の間には、外装材２５・２６が挿入され得る空間２７・２８が形成される、こととするものである。
【００６４】
この構成によれば、施工後においては、外装材２５・２６の上端部を天面部３１によって覆い隠すことができるとともに、垂壁部３２・３３から流れ落ちる水を外装材２５・２６の外側に確実に案内させることが可能となる。
【００６５】
また、図４に示すごとく、パラペット２における笠木部材３の施工方法であって、
パラペット２における笠木部材３の被固定体（躯体２１）を施工し、
次に、笠木部材３を前記被固定体（躯体２１）に取り付け、
次に、前記パラペット２の外装材２５・２６の施工を行う、こととするものである。
【００６６】
これにより、例えば、パラペットなどの外装の施工者に、笠木部材の施工を実施させることや、或いは、笠木部材の施工業者が外装の施工者が設置した足場などを利用して笠木部材を施工する、といったことも可能となる。このように、施工者による作業計画の自由度を高めることや、足場などの設備の共有といったことが可能となり、施工性に優れた施工方法を実現することが可能となる。仮に、パラペットなどの外装の施工者に、笠木部材の施工を実施させることとすれば、工期の短縮が図られるとともに、人員コストを削減することが可能となる。
【００６７】
また、前記笠木部材３は、
前記被固定体（躯体２１）の少なくとも一つの側面に固定されるための少なくとも一つの固定用脚部を有し、
前記固定用脚部には、
前記固定用脚部を前記被固定体に止めつけるための固定用部材（固定ネジ３８・３９）を挿通させるための貫通孔３４ｂ・３５ｂが横方向に設けられるものであり、
前記固定用部材（固定ネジ３８・３９）は、前記貫通孔３４ｂ・３５ｂを介して前記被固定体に対し、横方向に止めつけられる、
こととするものである。
【００６８】
この構成によれば、被固定体側に形成される固定孔３８ａ・３９ａは、上下方向でなく、横方向となるため、固定孔３８ａ・３９ａ内への水の浸入が防がれ、この水の浸入に起因する被固定体の劣化などの問題の発生を防止することができる。また、従来使用されていた笠木取付部材が不要な構成とすることができるため、従来の笠木取付部材と笠木部材が別部材で構成されるものと比較して、部品点数が削減され、また、施工を容易なものとすることができる。また、固定用部材を横方向に挿通させて被固定体に止めつけることが可能となるため、笠木部材３に上向きの荷重が作用した場合でも、固定用部材が抜け難いこととすることができ、笠木部材３が固定された状態をより強固に維持することが可能となる。
【００６９】
また、図２及び図３に示すごとく、前記横方向とは、笠木部材３の長手方向と直交する断面視における笠木部材３の中央部を内側とした場合に、
内側から外側へ向かって低くなる下り勾配を有する構成とする、こととする。
【００７０】
この構成によれば、被固定体側に形成される固定孔３８ａ・３９ａについても、内側から外側へ向かって低くなる下り勾配を有することとなるため、固定孔３８ａ・３９ａ内への水の浸入をより確実に防止することが可能となるとともに、仮に、多量の水がかけられるなどして固定孔３８ａ・３９ａに水が浸入してしまった場合であっても、下り勾配によってその水を排水することが可能となる。
【００７１】
また、図２及び図３に示すごとく、前記固定用脚部３４・３５の内側には、前記被固定体（躯体２１）に対し上側から係止するための係止部３６・３７が設けられる、こととするものである。
【００７２】
この構成によれば、係止部３６・３７により、笠木部材の被固定体（躯体２１）に対する上下方向の位置決めをすることができる。また、係止部３６・３７が被固定体（躯体２１）に乗り掛かることによって、笠木部材３を被固定体（躯体２１）に対して載置した状態（仮置きした状態）とすることができ、作業者は笠木部材３から手を離すことができることとなって、施工性が良好なものとなる。
【００７３】
また、図２及び図３に示すごとく、前記笠木部材３は、
板状の天面部３１と、笠木部材３の長手方向と直交する断面視において、天面部３１の両端部において下方向に延設される垂壁部３２・３３と、を有し、
笠木部材３の長手方向と直交する断面視において、前記垂壁部３２・３３よりも天面部３１の中央部に近い側に前記固定用脚部３４・３５が設けられることとし、
前記垂壁部３２・３３と、前記固定用脚部３４・３５の間には、外装材２５・２６が挿入され得る空間２７・２８が形成される、こととするものである。
【００７４】
この構成によれば、施工後においては、外装材２５・２６の上端部を天面部３１によって覆い隠すことができるとともに、垂壁部３２・３３から流れ落ちる水を外装材２５・２６の外側に確実に案内させることが可能となる。
【産業上の利用可能性】
【００７５】
本発明は、戸建住宅、集合住宅、施設建物などに設けられるバルコニーなどについて、広く適用され得るものである。
【符号の説明】
【００７６】
１    バルコニー
２    パラペット
３    笠木部材
４    束部材
５    手摺部材
６    継目部
２１    躯体
２５    外装材
２６    外装材
３１    天面部
３２    垂壁部
３３    垂壁部
３４    固定用脚部
３５    固定用脚部
３６    係止部
３７    係止部
３８    固定ネジ
３９    固定ネジ
３８ａ    固定孔
３９ａ    固定孔
【図１】
2012149423.tif 000003
【図２】
2012149423.tif 000004
【図３】
2012149423.tif 000005
【図４】
2012149423.tif 000006